(57)【要約】【課題】経済的に、血流量を増加させることができると共に薬理効果を発揮できる血流量増加装置を提供する。【解決手段】  この血流量増加装置３９によれば、人工炭酸泉改良ユニット４では、第１槽６のナノバブル発生機４２で浴槽水に炭酸ガスナノバブルを含有させる。浴槽水が含有する炭酸ガスナノバブルで第２槽７に充填された炭酸カルシウム鉱物１６を溶解させて、カルシウムイオンやマグネシウムイオンの溶解を促進できる。よって、ナノバブルの発生効率を高める効果がある。また、人工炭酸泉改良ユニット４から浴槽１に炭酸ガスナノバブルを含有した浴槽水が導入されるので、浴槽１での入浴によって炭酸ガスナノバブルによる血流量増加作用が発揮される。また、上記浴槽水には第３槽８の生薬２２の薬効成分が溶け込んで、この薬効成分による各種薬理作用が発揮される。【選択図】図１
2008212276.tif 000002
【特許請求の範囲】
【請求項１】
炭酸カルシウム鉱物と生薬が充填された水槽を有すると共に炭酸ガスナノバブルを含有する浴槽水を作製し、かつ、上記浴槽水が上記水槽に流入する人工炭酸泉改良ユニットと、
上記人工炭酸泉改良ユニットから上記浴槽水が導入される浴槽部とを備えることを特徴とする血流量増加装置。
【請求項２】
請求項１に記載の血流量増加装置において、
上記水槽に保湿剤が充填されていることを特徴とする血流量増加装置。
【請求項３】
請求項１に記載の血流量増加装置において、
上記人工炭酸泉改良ユニットは、
ナノバブル発生機が付属設置されていると共に浴槽水に炭酸ガスナノバブルを含有させる第１槽と、
上記第１槽からの浴槽水が流入すると共に炭酸カルシウム鉱物が充填された第２槽と、
上記第２槽からの浴槽水が流入すると共に生薬が充填された第３槽と、
上記第３槽からの浴槽水が流入すると共に保湿剤が充填された第４槽と、
上記第４槽からの浴槽水が流入すると共に溶存炭酸ガス計またはｐＨ計が設置されている第５槽とを有し、
上記人工炭酸泉改良ユニットと浴槽部との間で浴槽水を循環させることを特徴とする血流量増加装置。
【請求項４】
請求項３に記載の血流量増加装置において、
上記人工炭酸泉改良ユニットの第１槽に、人工炭酸泉装置から炭酸ガスを１０００ｐｐｍ以上含有した温水を供給することを特徴とする血流量増加装置。
【請求項５】
請求項３に記載の血流量増加装置において、
上記人工炭酸泉改良ユニットの第１槽に設置されているナノバブル発生機に、人工炭酸泉装置からの炭酸ガス含有温水と上記浴槽部からの浴槽水との両方を気液混合液体として供給することを特徴とする血流量増加装置。
【請求項６】
請求項３乃至５のいずれか１つに記載の血流量増加装置において、
上記人工炭酸泉改良ユニットの第５槽内に設置されていると共に上記第５槽内の浴槽水の溶存炭酸ガス濃度を計測する溶存炭酸ガス計と、
上記第５槽の外部に設置されていると共に上記溶存炭酸ガス計からの上記溶存炭酸ガス濃度を表す信号が入力される溶存炭酸ガス調節計とを備え、
上記溶存炭酸ガス調節計は、上記信号に基づいて制御信号を上記ナノバブル発生機に出力して上記ナノバブル発生機の運転を制御することを特徴とする血流量増加装置。
【請求項７】
請求項６に記載の血流量増加装置において、
上記ナノバブル発生機の運転と上記人工炭酸泉装置の運転とが連動していることを特徴とする血流量増加装置。
【請求項８】
請求項３に記載の血流量増加装置において、
上記炭酸泉改良ユニットの上記ナノバブル発生機が、気液混合気体せん断方式のナノバブル発生機であることを特徴とする血流量増加装置。
【請求項９】
請求項３乃至５のいずれか１つに記載の血流量増加装置において、
上記人工炭酸泉改良ユニットの第５槽内に設置されていると共に上記第５槽内の浴槽水のｐＨを計測するｐＨ計と、
上記第５槽の外部に設置されていると共に上記ｐＨ計からのｐＨを表す信号が入力されるｐＨ調節計とを備え、
上記ｐＨ調節計は、上記信号に基づいて制御信号を上記ナノバブル発生機に出力して上記ナノバブル発生機の運転を制御することを特徴とする血流量増加装置。
【請求項１０】
請求項３に記載の血流量増加装置において、
上記炭酸泉改良ユニットの上記ナノバブル発生機が、
マイクロバブル発生部を有する気液混合循環ポンプと、
上記気液混合循環ポンプで作製したマイクロバブルをせん断してナノバブルを発生させる気体せん断部と、
上記マイクロバブル発生部に供給される気体量を調節するニードルバルブと、
上記気液混合循環ポンプ,気体せん断部,ニードルバルブを接続する配管とを有することを特徴とする血流量増加装置。
【請求項１１】
請求項１に記載の血流量増加装置において、
上記炭酸泉改良ユニットは、マイクロナノバブル発生機を備えていることを特徴とする血流量増加装置。
【請求項１２】
請求項１または３に記載の血流量増加装置において、
上記浴槽部で発生する人体からの垢(アカ)としての有機物を、上記炭酸泉改良ユニットの水槽に充填されている炭酸カルシウム鉱物に繁殖させた微生物によって処理することを特徴とする血流量増加装置。
【請求項１３】
請求項３に記載の血流量増加装置において、
上記炭酸泉改良ユニットの第４槽は、
ネット状容器に充填された充填材と、
この充填材の下方から上記ナノバブル発生機からの炭酸ガスナノバブル水を吐出させる吐出部を有することを特徴とする血流量増加装置。
【請求項１４】
請求項１に記載の血流量増加装置を有することを特徴とする糖尿病治療装置。
【請求項１５】
請求項１に記載の血流量増加装置を有することを特徴とする美容装置。
【請求項１６】
請求項１に記載の血流量増加装置を有することを特徴とする育毛促進装置。
【請求項１７】
請求項１に記載の血流量増加装置を有することを特徴とする中枢神経疾患治療装置。
【請求項１８】
請求項１に記載の血流量増加装置を有することを特徴とする心血管系疾患治療装置。
【請求項１９】
請求項１に記載の血流量増加装置を有することを特徴とする代謝異常疾患治療装置。
【請求項２０】
請求項１に記載の血流量増加装置を有することを特徴とする消化器疾患治療装置。
【請求項２１】
請求項１に記載の血流量増加装置を有することを特徴とする運動器疾患治療装置。
【請求項２２】
請求項１に記載の浴槽装置を有することを特徴とする皮膚科領域疾患治療装置。
【請求項２３】
請求項１に記載の血流量増加装置を有することを特徴とする血液及び免疫疾患治療装置。
【発明の詳細な説明】
【技術分野】
【０００１】
この発明は、血流増加装置に関し、例えば、炭酸ガスの極微細な気泡によって血流量を増加させることで各種疾患に有効となる血流量増加装置に関する。
【背景技術】
【０００２】
従来より、炭酸泉が、血流量を増加させるとの医学的な知見がある。炭酸泉に代表される炭酸ガスを約１０００ｐｐｍ含有している温泉は、欧州とくにドイツにおいて存在し、古くより、各種医学的治療に炭酸泉として活用されてきた。
【０００３】
日本においては、炭酸ガスを約１０００ｐｐｍ含有している温泉が存在しないことから、あらゆる疾病に対応可能、すなわち、医学的治療可能な温泉は存在しないものの、ＭＲＣ・ホームプロダクツ株式会社により、人工的に１０００ｐｐｍ以上の高濃度の炭酸ガスを含む浴槽水(人工炭酸泉)を製造する装置が開発された。この装置の構造,機能は、水を通さず気体のみを通過させる半透膜,多層複合中空糸膜を使って炭酸ガスを浴槽水に溶け込ませる装置である。
【０００４】
また、日本では血液の流れが悪くなる糖尿病患者が約８００万人とも言われており、糖尿病による合併症から腎臓人工透析へ発展した場合や足の末端付近の血流悪化を原因とする壊疽による足の切断の事例もある。
【０００５】
ここで、人の足の血流が悪化した場合への改善方法としては、多数の旋回流方式のマイクロナノバブル発生機を設置してマイクロナノバブルを発生させて血流量を増加させる浴槽システムが考えられる。具体的事例としては、所望の血流量を増加させる効果を発揮するためには、旋回流方式のマイクロナノバブル発生機を１０台設置した実験事例がある。
【０００６】
しかし、この方式の浴槽システムでは、マイクロナノバブル発生機を１０台も設置する必要があることから、浴槽スペースの問題に付け加えて、浴槽のコストアップにもつながり、現実的なシステムではなかった。
【０００７】
ところで、従来技術としてのナノバブルの利用方法および装置としては、特開２００４−１２１９６２号公報(特許文献１)に記載されているものがある。
【０００８】
この技術は、ナノバブルが有する浮力の減少、表面積の増加、表面活性の増大、局所高圧場の生成、静電分極の実現による界面活性作用と殺菌作用などの特性を活用したものである。より具体的には、それらが相互に関連することによって、汚れ成分の吸着機能、物体表面の高速洗浄機能、殺菌機能によって各種物体を高機能、低環境負荷で洗浄することができ、汚濁水の浄化を行うことができることを開示している。
【０００９】
また、従来技術としてのナノ気泡の生成方法が特開２００３−３３４５４８号公報(特許文献２)に記載されている。
【００１０】
この技術は、液体中において、(1)液体の一部を分解ガス化する工程、(2)液体中で超音波を印加する工程または、(3)液体の一部を分解ガス化する工程および超音波を印加する工程から構成されている。
【００１１】
また、従来技術としてのオゾンマイクロバブルを利用する廃液の処理装置が、特開２００４−３２１９５９号公報(特許文献３)に記載されている。
【００１２】
この技術は、オゾン発生装置より生成されたオゾンガスをマイクロナノバブル発生装置に供給すると共に、処理槽の下部から抜き出された廃液を加圧ポンプを介してマイクロナノバブル発生装置に供給している。また、生成されたオゾンマイクロバブルをガス吹き出しパイプの開口部より処理槽内の廃液中に通気している。
【００１３】
また、従来、二酸化炭素によるマイクロバブルの応用技術が、特開２００６−３２０６７５号公報(特許文献４)に記載されている。この技術は、炭酸ガス容器と減圧弁を配し或る条件での圧力と流量で炭酸ガスをマイクロバブル発生装置の吸入空気取り入れ系統に供給している。
【００１４】
しかしながら、上記４つの技術を例とする既存のバブルを用いた技術を参照しても、経済的に、人体に特に好適な影響および効果を及ぼす装置を伺いしることができないという問題がある。
【特許文献１】特開２００４−１２１９６２号公報
【特許文献２】特開２００３−３３４５４８号公報
【特許文献３】特開２００４−３２１９５９号公報
【特許文献４】特開２００６−３２０６７５号公報
【発明の開示】
【発明が解決しようとする課題】
【００１５】
そこで、この発明の課題は、経済的に、血流を増加させることができると共に薬理効果を発揮できる血流量増加装置を提供することにある。また、この発明の課題は、炭酸ガスナノバブルを多量に経済的に発生させることができる血流量増加装置を提供することにある。また、この発明の課題は、特に、人体に特に好適な影響および効果を及ぼす血流量増加装置を提供することにある。
【課題を解決するための手段】
【００１６】
上記課題を解決するため、この発明の血流量増加装置は、炭酸カルシウム鉱物と生薬が充填された水槽を有すると共に炭酸ガスナノバブルを含有する浴槽水を作製し、かつ、上記浴槽水が上記水槽に流入する人工炭酸泉改良ユニットと、
上記人工炭酸泉改良ユニットから上記浴槽水が導入される浴槽部とを備えることを特徴としている。
【００１７】
この発明の血流量増加装置によれば、人工炭酸泉改良ユニットでは、浴槽水が含有する炭酸ガスナノバブルで水槽に充填された炭酸カルシウム鉱物を溶解させて、カルシウムイオンやマグネシウムイオンの溶解を促進できる。よって、ナノバブルの発生効率を高める効果がある。また、人工炭酸泉改良ユニットから浴槽部に炭酸ガスナノバブルを含有した浴槽水が導入されるので、浴槽部での入浴することによって炭酸ガスナノバブルによる血流増加作用が発揮される。また、上記浴槽水には生薬の薬効成分が溶け込んで、この薬効成分による各種薬理作用が発揮され、多機能な血流量増加装置が実現される。なお、炭酸泉とは、炭酸ガスを含有する浴槽水を言う。また、生薬としては、キハダ、ニワトコ、ジオウ、ヨモギ、ユキノシタ、ヨモギ、アカマツ葉、マタタビ、アロエ、トウキ等の各種のものが挙げられる。その他の生薬としては、糖尿病治療に対しては、イノコズチの根とオオバコの種子が選定される。また、動脈硬化に対しては、オウレンやミシマサイコおよび朝鮮人参が選定される。
【００１８】
また、炭酸カルシウム鉱物としては、牡蠣殻やサンゴが一般的だが、中国地方の山から採掘可能な自然の炭酸カルシウム(商品としての寒水石)も挙げられる。牡蠣殻やサンゴは、海からの産物であるため、溶解するとカルシウム、マグネシウム等多くの無機イオンを含有しており、そのため、ナノバブルが浴槽水の中で、発生し易くなる。
【００１９】
また、一実施形態の血流量増加装置は、上記水槽に保湿剤が充填されている。
【００２０】
この実施形態の血流量増加装置によれば、浴槽水に保湿剤が溶け込んで、保湿剤による人体に対するしっとり感を与える浴槽水となり、より多機能な血流量増加装置となる。
【００２１】
また、一実施形態の血流量増加装置では、上記人工炭酸泉改良ユニットは、
ナノバブル発生機が付属設置されていると共に浴槽水に炭酸ガスナノバブルを含有させる第１槽と、
上記第１槽からの浴槽水が流入すると共に炭酸カルシウム鉱物が充填された第２槽と、
上記第２槽からの浴槽水が流入すると共に生薬が充填された第３槽と、
上記第３槽からの浴槽水が流入すると共に保湿剤が充填された第４槽と、
上記第４槽からの浴槽水が流入すると共に溶存炭酸ガス計またはｐＨ計が設置されている第５槽とを有し、
上記人工炭酸泉改良ユニットと浴槽部との間で浴槽水を循環させる。
【００２２】
この実施形態の血流量増加装置によれば、浴槽水を浴槽と人工炭酸泉改良ユニットの間で循環させるので、第２槽において浴槽水に含まれる炭酸ガスナノバブルで炭酸カルシウム鉱物から浴槽水にカルシウムを溶出させて、ナノバブルの発生効率を高めることができる。また、生薬が充填された第３槽において、生薬からの薬効成分を浴槽水に溶出させることができ、薬効成分による薬理効果を期待できる。また、保湿剤が充填された第４槽において、浴槽水に保湿成分を溶出させて、人体に対するしっとり感を得ることができる。また、第５槽に設置した溶存炭酸ガス計またはｐＨ計によって、浴槽水の溶存炭酸ガス濃度を直接または間接的に検出できる。
【００２３】
なお、上記第３槽の生薬としては、一例として薬用植物であるイノコズチの根とオオバコの種子が特に糖尿病治療に選定される。また、動脈硬化に対しては、生薬としてオウレンやミシマサイコおよび朝鮮人参が選定される。いずれにしても、第３槽に目的に応じて薬用植物を充填して浴槽水の水温が例えば３８℃〜４２℃度であることを利用して、有効成分を浴槽水に溶出させ、ナノバブルと共に血液中に吸収させることによって、薬理効果を発揮できる。また、第４槽の保湿剤は、保湿成分により肌をしっとりさせる材料であり、肌をしっとりさせるとは風呂あがりに肌がしっとりすべすべするものである。具体的一例としては、日本浴用剤工業会『入浴剤の成分と種類』で許可を得ているオリーブ,各種海草,大豆などが選定される。
【００２４】
また、一実施形態の血流量増加装置では、上記人工炭酸泉改良ユニットの第１槽に、人工炭酸泉装置から炭酸ガスを１０００ｐｐｍ以上含有した温水を供給する。
【００２５】
この実施形態の血流量増加装置によれば、第１槽に人工炭酸泉装置から炭酸ガスを高濃度(１０００ｐｐｍ以上)に含有した温水を供給するので、炭酸ガスを高濃度に含有した温水を、ナノバブル発生機に導入して、炭酸ガスナノバブルを製造できる。なお、炭酸泉に含まれている炭酸ガスは、体内に吸収されることで血管の拡張作用を促して血液の流れを良くする効果が認められている。
【００２６】
また、一実施形態の血流量増加装置では、上記人工炭酸泉改良ユニットの第１槽に設置されているナノバブル発生機に、人工炭酸泉装置からの炭酸ガス含有温水と上記浴槽部からの浴槽水との両方を気液混合液体として供給する。
【００２７】
この実施形態の血流量増加装置によれば、第１槽のナノバブル発生機によって、浴槽水に炭酸ガスナノバブルを効率よく含有させることができる。
【００２８】
また、一実施形態の血流量増加装置では、上記人工炭酸泉改良ユニットの第５槽内に設置されていると共に上記第５槽内の浴槽水の溶存炭酸ガス濃度を計測する溶存炭酸ガス計と、
上記第５槽の外部に設置されていると共に上記溶存炭酸ガス計からの上記溶存炭酸ガス濃度を表す信号が入力される溶存炭酸ガス調節計とを備え、
上記溶存炭酸ガス調節計は、上記信号に基づいて制御信号を上記ナノバブル発生機に出力して上記ナノバブル発生機の運転を制御する。
【００２９】
この実施形態の血流量増加装置によれば、第５槽の溶存炭酸ガス調節計からの信号に基づく溶存炭酸ガス調節計の制御信号によって、上記ナノバブル発生機の運転が制御される。よって、第５槽での炭酸ガス濃度をナノバブル発生機の運転で制御でき、浴槽水の常に安定した炭酸ガス濃度を維持できる。
【００３０】
また、一実施形態の血流量増加装置では、上記ナノバブル発生機の運転と上記人工炭酸泉装置の運転とが連動している。
【００３１】
この実施形態の血流量増加装置によれば、人工炭酸泉装置からの炭酸ガス含有温水が第１槽に導入された時点で、直ちにナノバブル発生機が連動して運転され、炭酸ガス含有温水からの炭酸ガスの発散,散逸を最低限とすることができる。
【００３２】
また、一実施形態の血流量増加装置では、上記炭酸泉改良ユニットの上記ナノバブル発生機が、気液混合気体せん断方式のナノバブル発生機である。
【００３３】
この実施形態の血流量増加装置によれば、気液混合気体せん断方式のナノバブル発生機により、気液混合の第１ステップと気体せん断の第２ステップとでもって、炭酸ガスナノバブルを確実に製造できる。
【００３４】
また、一実施形態の血流量増加装置では、上記人工炭酸泉改良ユニットの第５槽内に設置されていると共に上記第５槽内の浴槽水のｐＨを計測するｐＨ計と、
上記第５槽の外部に設置されていると共に上記ｐＨ計からのｐＨを表す信号が入力されるｐＨ調節計とを備え、
上記ｐＨ調節計は、上記信号に基づいて制御信号を上記ナノバブル発生機に出力して上記ナノバブル発生機の運転を制御する。
【００３５】
この実施形態の血流量増加装置によれば、溶存炭酸ガス計と溶存炭酸ガス調節計に替えて、汎用品であるｐＨ計とｐＨ調節計を採用したことで、使用実績も多く有り、システムの信頼性向上を図れる。すなわち、溶存炭酸ガスを直接に測定することに替えて、ｐＨを計測することで間接的に浴槽水の溶存炭酸ガス濃度を計測する。
【００３６】
また、一実施形態の血流量増加装置では、上記炭酸泉改良ユニットの上記ナノバブル発生機が、
マイクロバブル発生部を有する気液混合循環ポンプと、
上記気液混合循環ポンプで作製したマイクロバブルをせん断してナノバブルを発生させる気体せん断部と、
上記マイクロバブル発生部に供給される気体量を調節するニードルバルブと、
上記気液混合循環ポンプ,気体せん断部,ニードルバルブを接続する配管とを有する。
【００３７】
この実施形態の血流量増加装置によれば、信頼性の高いナノバブル発生機を構築でき、このナノバブル発生機で浴槽水中に含有させた炭酸ガスナノバブルが皮膚から吸収され、炭酸ガスによる血流増加作用をより確実なものにすることができる。
【００３８】
なお、マイクロバブル発生部を有する気液混合循環ポンプとは、ポンプ本体が、マイクロナノバブルを発生させることができるポンプである。一般的には、ポンプと発生部は別個のものであるが、この気液混合循環ポンプ３３は、マイクロバブル発生部を有する。そして、全体システムとしてのナノバブル発生機は、第１段目の段階で、マイクロバブル発生部を有する気液混合循環ポンプでマイクロバブルを発生し、製造し、第２段目の段階では、気体せん断部でナノバブルを発生させる。また、必要に応じて、ニードルバルブの開度制御によって空気量を正確に調節する。また、より正確な制御が必要な場合は、気液混合循環ポンプの回転数制御を行うシステムを構築してもよい。
【００３９】
また、一実施形態の血流量増加装置では、上記炭酸泉改良ユニットは、マイクロナノバブル発生機を備えている。
【００４０】
この実施形態の血流量増加装置によれば、上記炭酸泉改良ユニットが、ナノバブル発生機に比べてイニシャルコストが低いマイクロナノバブル発生機をナノバブル発生機に替えて備えることで、マイクロナノバブル発生機によるマイクロナノバブルでも効力が適合する場合には、経済的な装置となる。
【００４１】
また、一実施形態の血流量増加装置では、上記浴槽部で発生する人体からの垢(アカ)としての有機物を、上記炭酸泉改良ユニットの水槽に充填されている炭酸カルシウム鉱物に繁殖させた微生物によって処理する。
【００４２】
この実施形態の血流量増加装置によれば、浴槽部で発生する有機物としての人体からの垢(アカ)を、炭酸泉改良ユニットの水槽に充填されている炭酸カルシウム鉱物に繁殖させた微生物で処理できる。よって、浴槽水の入れ替えが不必要となり、一例として２４時間営業の施設等へ適用する上で有効なシステムとなる。また、ナノバブルの酸化作用でも有機物を分解できる。特に、ナノバブルが持つフリーラジカルすなわちマイナス電荷により有機物を強力に酸化できる。
【００４３】
また、一実施形態の血流量増加装置では、上記炭酸泉改良ユニットの第４槽は、
ネット状容器に充填された充填材と、
この充填材の下方から上記ナノバブル発生機からの炭酸ガスナノバブル水を吐出させる吐出部を有する。
【００４４】
この実施形態の血流量増加装置によれば、炭酸ガスナノバブル水によって充填材に含有される成分を浴槽水に溶出させることができる。また、充填材に微生物が繁殖している場合には、吐出部から吐出する炭酸ガスナノバブル水によって、繁殖した微生物を活性化できる。なお、炭酸ガスが微生物を活性化する現象は、人間においても同様のことが言える。すなわち、人体においても、皮膚から炭酸ガスナノバブルが、吸収されて、毛細血管に入り、血液中の炭酸ガス濃度が高まると、全身を巡る血流量も増加し活性が高まる。これと同様、炭酸ガスナノバブルによって生物の一部である微生物も生理活性を示し、さらには、全ての生物の活性化が期待できる。
【００４５】
また、一実施形態の糖尿病治療装置は、上記血流量増加装置を有する。
【００４６】
この実施形態の糖尿病治療装置によれば、上記血流量増加装置を活用して浴槽部で入浴した人体に対し、浴槽水に含まれる炭酸ガスマイクロナノバブルまたは炭酸ガスナノバブルの少なくとも一方でもって血流量を増加できる。この血流量の増加でもって、糖尿病の症状を大きく改善させることができる。
【００４７】
なお、糖尿病の治療において、本発明の糖尿病治療装置による治療と、スルホニル尿素剤やビグアナイト剤等の血糖降下薬の服用とを、併用して行うと、非常に効果的である。本発明の糖尿病治療装置による治療と、血糖降下薬の服用による相乗効果は、非常に大きなものであり、上記相乗効果によって、糖尿病の症状を短期間で改善することができる。
【００４８】
また、一実施形態の美容装置は、上記血流量増加装置を有する。
【００４９】
この実施形態の美容装置によれば、上記血流量増加装置による血流増加効果でもって、効果的に美容を促進可能となる。
【００５０】
また、一実施形態の育毛促進装置では、上記血流量増加装置を有する。
【００５１】
この実施形態の育毛促進装置によれば、上記血流量増加装置による血流増加効果でもって、効果的に育毛を促進可能となる。
【００５２】
また、一実施形態の中枢神経疾患治療装置は、上記血流量増加装置を有する。
【００５３】
この実施形態の中枢神経疾患治療装置によれば、上記血流量増加装置による血流増加効果でもって、中枢神経疾患の症状を改善することができる。この中枢神経疾患には、アルツハイマー病や認知症等が含まれる。
【００５４】
また、一実施形態の心血管系疾患治療装置は、上記血流量増加装置を有する。
【００５５】
この実施形態の心血管系疾患治療装置によれば、上記血流量増加装置による血流増加効果でもって、心血管系疾患の症状を改善することができる。この心血管系疾患には、慢性心不全、高血圧、脳梗塞、心筋梗塞等が含まれる。
【００５６】
また、一実施形態の代謝異常疾患治療装置は、上記血流量増加装置を有する。
【００５７】
この実施形態の代謝異常疾患治療装置によれば、上記血流量増加装置による血流増加効果でもって、代謝異常疾患の症状を改善することができる。この代謝異常疾患には、肥満、高脂血症等が含まれる。
【００５８】
また、一実施形態の消化器疾患治療装置は、上記血流量増加装置を有する。
【００５９】
この実施形態の消化器疾患治療装置によれば、上記血流量増加装置による血流増加効果でもって、消化器疾患の症状を改善できる。この消化器疾患には、胃潰瘍、肝機能低下症等が含まれる。
【００６０】
また、一実施形態の運動器疾患治療装置は、上記血流量増加装置を有する。
【００６１】
この実施形態の運動器疾患治療装置によれば、上記血流量増加装置による血流増加効果でもって、運動器疾患の症状を改善できる。この運動器疾患には、関節リウマチ、関節炎等が含まれる。
【００６２】
また、一実施形態の皮膚科領域疾患治療装置は、上記血流量増加装置を有する。
【００６３】
この実施形態の皮膚科領域疾患治療装置によれば、上記血流量増加装置による血流増加効果でもって、皮膚科領域疾患の症状を改善できる。この皮膚科領域疾患には、皮膚老化,脱毛などが含まれる。
【発明の効果】
【００６４】
この発明の血流量増加装置によれば、人工炭酸泉改良ユニットでは、浴槽水が含有する炭酸ガスナノバブルで水槽に充填された炭酸カルシウム鉱物を溶解させて、カルシウムイオンやマグネシウムイオンの溶解を促進できる。よって、ナノバブルの発生効率を高める効果がある。また、人工炭酸泉改良ユニットから浴槽部に炭酸ガスナノバブルを含有した浴槽水が導入されるので、浴槽部での入浴することによって炭酸ガスナノバブルによる血流増加作用が発揮される。また、上記浴槽水には生薬の薬効成分が溶け込んで、この薬効成分による各種薬理作用が発揮され、多機能な血流量増加装置が実現される。
【発明を実施するための最良の形態】
【００６５】
以下、この発明を図示の実施の形態により詳細に説明する。
【００６６】
(第１の実施の形態)
図１は、この発明の第１実施形態である血流量増加装置３９を模式的に示す図である。この血流量増加装置３９は、浴槽部としての浴槽１と人工炭酸泉改良ユニット４とを備えている。
【００６７】
図１においては、人工炭酸泉改良ユニット４の容量が浴槽１の容量の２倍程度に表現されているが、これは、人工炭酸泉改良ユニット４の設備内容を詳細に示しているからであり、実際には、浴槽１の容量が、人工炭酸泉改良ユニット４の容量と比較して、８倍以上の容量を持っている。
【００６８】
浴槽１としては、各種浴槽が該当し、家庭用の浴槽、病院、ホテル、旅館、温泉の浴槽が該当し、材質も各種様々である。一般に家庭用浴槽１は、合成樹脂等の各種材料から製造されている。
【００６９】
この浴槽１は、大略、次の第１,第２のステップで使用される。
【００７０】
(第１ステップ)
浴槽１への新規給湯を行うか、または、前日使用後の浴槽水を再利用して不足分の浴槽水の給湯を行う。浴槽水は水温低下するので、給湯水は、高温給湯水とする。また、前日使用後の浴槽水には、有機物としての垢を含有している。
【００７１】
(第２ステップ)
浴槽移送循環ポンプ２で、浴槽１の浴槽水を、配管３７経由で第１槽６に移送する。この第１槽６に浴槽水を移送することで、第１槽６に新たに導入された浴槽水は、自然流下方式で、順に、第２槽７、第３槽８、第４槽９、第５槽１０に移動する。そして、最後に、浴槽水は、第５槽１０からオバーフローして、リターン配管３８を経て、浴槽１に戻る。
【００７２】
また、前日の使用後の浴槽水を再利用している場合、前日の浴槽水は、水温が下がっていることと、浴槽水に有機物としての垢を含有している。
【００７３】
水温の低下対策としては、新たに別系統(図示せず)のボイラーラインの配管やボイラー設備で加温する。浴槽水に含有している有機物としての垢(アカ)対策としては、浴槽１と、第１槽６〜第５槽１０の間で循環させることによって、  特に、第２槽７に充填されている炭酸カルシウム鉱物１６に繁殖した微生物により、有機物としての垢が微生物活性した微生物により強力に酸化分解される。
【００７４】
すなわち、浴槽水は、浴槽移送循環ポンプ２を用いて、第１槽６から第１０槽まで、オーバーフロー方式でもって、各水槽６〜１０で移送処理されたり、また有効成分が溶出したりして、順次各槽をオーバーフローして行き、最後には、浴槽１に戻ることとなる。また、浴槽１と水槽１０の間で上記浴槽水が循環することになる。
【００７５】
次に、第１〜第５の各槽６〜１０を詳細に説明する。
【００７６】
第１槽６には、その第１槽６の内部と外部に分散して、いくつかの機器から構成されるナノバブル発生機４２が設置されている。このナノバブル発生機４２は、給湯器１２および高濃度人工炭酸泉装置１１からの炭酸ガスを含む温水が供給され、この炭酸ガスを含む温水から血流量増加作用がある炭酸ガスナノバブルを製造する。
【００７７】
ここで、高濃度人工炭酸泉装置１１を説明する。この高濃度人工炭酸泉装置１１は、給湯器１２から供給される温水から、炭酸ガスを１０００ｐｐｍ以上含有する温水を製造することができる装置である。この高濃度人工炭酸泉装置１１の具体的一例としては、ＭＲＣ・ホームプロダクツ株式会社や株式会社フォーム等のメーカーの商品が多数販売されている。この商品の一例としては、ＭＲＣ・ホームプロダクツ株式会社の場合、人工炭酸泉製造装置として、一般向けとして、商品名『ソーダバス』や医療用としての『カーボセラ』がある。それらの商品である『ソーダバス』や『カーボセラ』が製造する炭酸泉は、炭酸ガスナノバブルではないので、上述したように、皮膚から多量に吸収される炭酸ガスナノバブルと比較して、血流量増加作用が特に充分でない。
【００７８】
もっとも、上記人工炭酸泉製造装置１１は、炭酸ガスとしての濃度が１０００ｐｐｍ以上の温水を供給できる能力がある。そして、第１槽６では、人工炭酸泉製造装置１１から導入される炭酸ガス含有温水の水量をバルブ１４で調整し、また、浴槽１からの浴槽水の水量をバルブ１３で調整して、第１水槽６に導入している。
【００７９】
上述のように、第１槽６に設置されているナノバブル発生機４２は、浴槽水と炭酸ガス含有温水を混合した浴槽水をサクションパイプ３のパイプ穴５より、吸引する。
【００８０】
このナノバブル発生機４２は、気液混合循環ポンプ３３と、この気液混合循環ポンプ３３に付属しているマイクロバブル発生部３４と、このマイクロバブル発生部３４に水配管で接続している気体せん断部３５と、この気体せん断部３５に連結しているナノバブル吐出口２９と、マイクロバブル発生部３４に空気配管で接続しているニードルバルブ３６から構成されている。
【００８１】
このニードルバルブ３６,マイクロバブル発生部３４を有する気液混合循環ポンプ３３,気体せん断部３５,ナノバブル吐出口２９から構成されたナノバブル発生機４２は、具体的一例として、ステンレス製の容器に収納したユニットとして、販売されている。
【００８２】
このマイクロバブル発生部３４は、ニードルバルブ３６を開とすることで、気液混合循環ポンプ３３の吸い込み側から空気を自給する。このマイクロバブル発生部３４は、一例として特殊なケーシング構造になっている。このマイクロバブル発生部３４は、液体と気体としての空気とを、混合、撹拌、昇圧させて、マイクロバブルを生成させる。そして、生成したマイクロバブルを水配管を通じて気体せん断部３５に導入する。この気体せん断部３５は、流体運動によりマイクロバブルをせん断することによって、マイクロバブルからナノバブルを発生させている。
【００８３】
このナノバブル発生のメカニズムを、第１、第２ステップにより、より詳細に説明する。
【００８４】
(第１ステップ)
マイクロバブル発生部３４において、流体力学的に圧力を制御することで、負圧形成部分から気体を吸入し、高速流体運動させて、負圧部を形成し、マイクロバブルを発生させる。より解かりやすく簡単に説明すると、水と空気を効果的に自給,混合,溶解し、圧送することにより、マイクロバブル白濁水を製造することが、第１ステップである。
【００８５】
(第２ステップ)
次に、上述の高速流体運動および負圧部の形成でもって発生されたマイクロバブルを、水配管を通じて気体せん断部３５に導入し、流体運動としてせん断することによって、マイクロバブルからナノバブルを発生させる。
【００８６】
なお、この実施形態では、ナノバブル発生機４２で発生させたナノバブル含有浴槽水は、液体気体混合配管３０,２８でもって、第１槽６、第３槽８、第４槽９に分配送水される。この液体気体混合配管３０,２８による分配送水において、混合配管３０のバルブ３２、混合配管２８のバルブ３１,バルブ１７,バルブ２０の各バルブを調節することで、各槽６,８,９へのナノバブル含有浴槽水の流量を目的に応じて調整すれば良い。
【００８７】
この第１槽６で、ナノバブルを含有した浴槽水は、次に第２槽７に導入される。なお、仕切板２４Ａが第１槽６と第２槽７とを仕切っている。この第２槽７では、炭酸カルシウム鉱物１６(一例として牡蠣ガラ)がネット状容器１５Ａの中に充填されている。
【００８８】
浴槽水に炭酸ガスがナノバブルとして含有されることにより、浴槽水のｐＨが、５.０と酸性側に傾いている。このため、炭酸カルシウム鉱物１６(一例として牡蠣ガラ)が溶解し、主成分のカルシウムやマグネシウムが溶け出してくる。こうして、浴槽水にカルシウムやマグネシウムが溶け出してくることによって、ナノバブル発生機４２においてナノバブルがより効率的に発生する。例えば、海水では、無機イオンが多量に溶解しているので、効率的にマイクロナノバブルが発生することが、牡蠣やアコャ貝の養殖で実証されている。事実、浴槽水に無機イオンを添加させると、マイクロナノバブルやナノバブルが効率良く発生した。
【００８９】
炭酸カルシウム鉱物１６の一例としての牡蠣ガラは、自然の産物であるので、その表面に微生物が繁殖し、この微生物は特に炭酸ガスナノバブルで活性化している。よって、この繁殖し活性化した微生物によって、浴槽水に含まれる有機物としての垢を生物学的に分解できる。なお、浴槽水に含まれる有機物としての垢は、炭酸ガスナノバブルが有する強力な酸化作用によっても、酸化分解されて、浴槽水は常に合理的に浄化されていることとなる。
【００９０】
続いて、浴槽水は、第２槽７の上部から第３槽８に導入される。この第３槽８には、薬用植物としての生薬２２がネット状容器１５Ａに充填された、第３槽８に導入される。
【００９１】
第３槽８には、生薬２２(一例として各種薬用植物)が、ネット状容器１５Ｂの中に充填されている。この生薬２２の形は、薬用植物の葉、根茎、樹皮、種子、など様々であるが、目的の有効成分を効率的に浴槽水に溶解させる為の生薬の形状が選定されている。そして、浴槽水は、一例として３７℃から４２℃前後で運転管理されるので、生薬の有効成分が熱で破壊されることなく、浴槽水に溶解(抽出とも言う)してくる。なお、従来より、浴槽水に生薬を入れて人体を温め、血行を盛んにすることは、知られた事実であるが、本実施形態では浴槽水が炭酸ガスナノバブルを含有していることで、生薬の有効成分が浴槽水へより効率的に溶解させることができる。そして、上記浴槽水によれば、生薬の血行促進作用と炭酸ガスナノバブルの血行促進作用の両方が相乗効果が働いて、さらに血流量が増加し、血行促進作用が増強される。なお、具体的な生薬の一例としては、ヨモギ、アカマツ葉、マタタビ、アロエ、トウキ等がある。
【００９２】
また、第３槽８のネット状容器１５Ｂの下方には、液体気体混合配管１８とナノバブル含有水を吐出する吐出口１９が必要に応じて設置されている。この液体気体混合配管１８は、バルブ１７でナノバブル量が調整されて、吐出口１９からナノバルブ含有水を吐出させる。このナノバルブ含有水は、ネット状容器１５Ｂ内の生薬２２から有効成分を溶解させている。
【００９３】
次に、浴槽水は、第３槽８の下部から第４槽９に導入される。仕切板２４Ｃが第３槽８と第４槽９を仕切っている。この第４槽９には、ネット状容器１５Ｃに充填された保湿剤２３が設置されている。この第４槽９は、充填物が生薬２２でなく保湿剤である点が、第３槽８と異なる。したがって、この第４槽９は、第３槽８と同様、液体気体混合配管２８にバルブ２０を介して接続された配管が保湿剤２３の下方に延在している。この配管の吐出口２１からは、ナノバブルがバルブ２０で量を調整されて吐出される。なお、保湿剤２３は、肌をしっとりさせるもので、日本浴用剤工業会より許可を得ているものを選定した。保湿剤２３の具体的一例としては、海藻、大豆、オリーブ等から目的に応じて選定した。
【００９４】
次に、第４槽９の上部からオーバーフローにより流出した浴槽水は、第５槽１０に導入される。この第５槽１０内には溶存炭酸ガス計４４が設置されており、この溶存炭酸ガス計４４は、信号線２７Ａで溶存炭酸ガス調節計４５に接続されている。この溶存炭酸ガス調節計４５は、第５槽１０の外に設置されている。上記溶存炭酸ガス計４４は、第５槽１０内の浴槽水の溶存炭酸ガス量を測定して上記溶存炭酸ガス量を表す信号を信号線２７Ａから溶存炭酸ガス調節計４５に入力する。
【００９５】
ここで、血流量増加作用は、浴槽水が含有する炭酸ガス成分としての炭酸ガスナノバブルにある。よって、溶存炭酸ガスを計測するための計測機器としては、ｐＨ計とｐＨ調節計を用いた計測システムよりも、溶存炭酸ガス計４４と溶存炭酸ガス調節計４５を用いた計測システムの方がより直接的である。
【００９６】
一方、溶存炭酸ガス計４４は、一般的ではなく、メーカーも少ない面もある。  しかし、ｐＨ計やｐＨ調節計程でないが、幾つかのメーカーから溶存炭酸ガス計４４が販売されている。例えば、東亜ディーケーケー株式会社の製品は、隔膜型電極法で液相の溶存炭酸ガス濃度を直接測定できる。また、エイブル株式会社の製品は、蒸気殺菌可能な溶存炭酸ガス計であるという特長を有する。
【００９７】
ここで、上述したナノバブル発生機４２は、第５槽１０に設置してある溶存炭酸ガス計４４からの信号を信号線２７経由で受けている溶存炭酸ガス計４４と連携している。つまり、この溶存炭酸ガス調節計４５は、上記溶存炭酸ガス計４４から入力される浴槽水の炭酸ガス濃度を表す信号に基づいて、制御信号を信号線２７Ｃに出力して、ナノバルブ発生機４２の運転を制御する。
【００９８】
この運転制御は、一例として、次のようになされる。すなわち、浴槽水を第１槽６に最初に導入した時点では、炭酸ガスナノバブルの炭酸ガスの影響により、浴槽水のｐＨが約５.０であるが、時間の経過に伴って、浴槽１と人工炭酸泉改良ユニット４との間で浴槽水が循環する。このことにより、浴槽水の浄化と浴槽水のｐＨの中性化が進行し、浴槽水のｐＨが６.５になった時点で、ナノバブル発生機４２の各構成部品の全てが停止させられることになる。
【００９９】
この第１実施形態では、次に述べる効果がある。すなわち、この第１実施形態によれば、浴槽水に炭酸ガスナノバブルを含有させて、浴槽１の浴槽水に浸かる人体に対する血流量を増加させると共に血行を促進させることができる。また、血流量の増加により、免疫機能の回復等生体の機能が回復すると同時に、薬物を服用した場合は、薬物の作用を高める効果もあるので、少ない薬物量で、同じ効果を期待できる。また、上記浴槽水には、上記生薬からの有効成分も溶け込むことにより、上記薬物の作用効果をさらに相乗的に高める効果がある。
【０１００】
また、この実施形態の血流量増加装置３９による浴槽水によれば、人体に対する血流量増加作用を発揮すると同時に人体の皮膚に対する炭酸ガスナノバブルによる洗浄効果もある。よって、この浴槽水を、顔、頭髪にも使用すれば、洗顔料、シャンプー量、ボディーソープ量等を減少させることもできる。
【０１０１】
なお、ナノバブル発生機４２を基本的に構成している気液混合循環ポンプ３３,マイクロバブル発生部３４,気体せん断部３５,ニードルバルブ３６,ナノバブル吐出口２９のセットは、市販されているものを採用可能だが、メーカーを限定するものではない。具体的一例としては、株式会社  協和機設の商品を採用できるが、他のメーカーの商品も今後数多く販売されてくるものと予想されるので、目的にしたがって選定すればよい。
【０１０２】
ここで、３種類のバブルについて説明する。
【０１０３】
(ｉ) 通常のバブル(気泡)は水の中を上昇して、ついには表面でパンとはじけて消滅する。
【０１０４】
(ii) マイクロバブルは、その発生時において、直径が１０〜数１０ミクロン(μｍ)の微細気泡で、発生後に収縮運動により一部マイクロナノバブルに変化する。
【０１０５】
(iii) ナノバブルは、マイクロバブルよりさらに小さい数百ｎｍ以下の直径を有するバブル(代表的には直径が１ミクロン以下の１００〜２００ｎｍ)でいつまでも水の中に存在することが可能なバブルといわれている。
【０１０６】
そして、マイクロナノバブルとは、マイクロバブルとナノバブルとが混合したバブルと説明できる。
【０１０７】
(第２の実施の形態)
次に、図２に、この発明の第２実施形態の血流量増加装置４９を示す。図２に示すように、この第２実施形態は、前述の第１実施形態と比較して、次の点が異なる。すなわち、前述の第１実施形態では、ニードルバルブ３６への気体の供給が、単に空気であったが、この第２実施形態では、液化炭酸ガスボンベ４７からの炭酸ガスをニードルバルブ３６へ供給している。よって、この第２実施形態では、高濃度人工炭酸泉装置１１から第１槽６へ炭酸ガスを供給するのみではなく、高濃度人工炭酸泉装置１１から供給される炭酸ガスに対応して、液化炭酸ガスボンベ４７からの炭酸ガスをニードルバルブ３６へ供給している。
【０１０８】
よって、この第２実施形態では、前述の第１実施形態と同じ部分については同じ符号を付けて詳細説明を省略し、前述の第１実施形態と異なる部分を説明する。
【０１０９】
この第２実施形態では、液化炭酸ガスボンベ４７からの炭酸ガスを直接ナノバブル発生機４２のマイクロバブル発生部３４に供給している。したがって、高濃度人工炭酸泉装置１１から第１槽６への炭酸ガス供給のみではなく、高濃度人工炭酸泉装置１１から第１槽６へ供給する炭酸ガス量に応じて、液化炭酸ガスボンベ４７からマイクロバブル発生部３４に炭酸ガスを供給している。こうして、ナノバブル発生機４２は、ナノバブル吐出口２９から炭酸ガスナノバブルを吐出する。これによって、第１水槽６での浴槽水の溶存炭酸ガス濃度を、短時間で、また経済的に１０００ｐｐｍ以上にすることができる。
【０１１０】
また、液化炭酸ガスボンベ４７からニードルバルブ３６へ供給する炭酸ガス量は、一例として、０.７リットル/分を基準としている。よって、炭酸ガスの使用量が少ない条件で、効率的に、炭酸ガスナノバブルを浴槽水中に含有させることができる。なお、この液化炭酸ガスボンベ４７自体は高圧となっているので、減圧弁(図示せず)を取り付けて、圧力を低減して使用している。
【０１１１】
(第３の実施の形態)
次に、図３に、この発明の第３実施形態の血流量増加装置５９を示す。この第３実施形態は、前述の第１実施形態と比較して、次の(1),(2)の点が異なっている。よって、この第３実施形態では、前述の第１実施形態と同じ部分については、同じ符号を付けて詳細説明を省略し、前述の第１実施形態と異なる部分を説明する。
【０１１２】
(1) 前述した第１実施形態ではニードルバルブ３６へ供給する気体が単に空気であったが、この第３実施形態では、ニードルバルブ３６へ液化炭酸ガスボンベ４７からの炭酸ガスを供給している。
【０１１３】
(2) 前述した第１実施形態では高濃度人工炭酸泉装置１１を備えていたが、この第３実施形態では、高濃度人工炭酸泉装置１１を備えていないので、液化炭酸ガスボンベ４７からの炭酸ガスのみがナノバルブ発生機４２へ供給される。
【０１１４】
したがって、この第３実施形態によれば、第１水槽６の浴槽水に溶存する炭酸ガスは、全て、液化炭酸ガスボンベ４７からの炭酸ガスによるのみものであるので、コストを低減して経済的なものにすることができる。
【０１１５】
すなわち、前述した第１実施形態が有する高濃度人工炭酸泉装置１１は、液化炭酸ガスボンベと半透膜である多層複合中空糸膜を使用したシステムであることから、それらに関係するメンテナンス等の費用が発生する。これに対して、この第３実施形態では、高濃度人工炭酸泉装置１１を有さずに、液化炭酸ガスボンベ４７のみで炭酸ガスを供給するので、それらの費用が発生しないことになる。
【０１１６】
また、前述した第１実施形態が有する高濃度人工炭酸泉装置１１からの出た炭酸ガス含有温水自体は、炭酸ガスが発散などしてお湯から抜け出る為、炭酸ガスの全量を浴槽水中に維持できないことがあった。これに対して、液化炭酸ガスボンベ４７からの炭酸ガスは、直接ナノバブル発生機４２に導入されて、炭酸ガスナノバブルとなって、浴槽水中に１週間以上持続する。よって、炭酸ガス消費量上で経済的である。
【０１１７】
また、液化炭酸ガスボンベ４７からニードルバルブ３６への供給炭酸ガス量は、一例として、０.７リットル/分を基準としている。よって、炭酸ガスの使用量が少ない条件で、効率的に、炭酸ガスナノバブルを浴槽水中に含有させることができる。なお、この液化炭酸ガスボンベ４７自体は、高圧となっているので、減圧弁(図示せず)を取り付けて、圧力を低減して使用している。
【０１１８】
そして、ナノバブル発生機４２で炭酸ガスナノバブルを作製して、ナノバブル吐出口２９から第１槽６へ吐出する。このナノバブル発生機４２が作製する炭酸ガスナノバブルは、従来少量しか皮膚表面から吸収されなかった炭酸ガスを、可能な限り縮小して、皮膚表面からの吸収、および毛細血管への取り込みがなされるような極微細な気泡である。よって、この血流量増加装置によれば、上記炭酸ガスナノバブルが血液と共に全身を巡って、結果的には、血流量増加,血行増進の作用によって各種疾病に有効な治療装置となる。
【０１１９】
また、この実施形態において、浴槽水の条件に合わせて、ニードルバルブ３６からの正確な炭酸ガス量と気液混合循環ポンプ３３の電動機の回転数によって、ナノサイズのバブルの発生状態を正確に制御して、ナノバブルを製造することができる。すなわち、浴槽１に入浴した場合の血流量増加効果は、ナノサイズといえども、このナノサイズの大小によっても差があることが判明している。よって、浴槽水の条件に合わせて、溶存炭酸ガス調節計４５から信号線２７Ｃ経由で気液混合循環ポンプ３３に制御信号を入力することで、気液混合循環ポンプ３３の電動機の回転数を正確に制御する。これにより、ニードルバルブ３６からの正確な炭酸ガス量と合わせて、ナノバブル発生機４２でナノサイズのバブルを所望の目的とする大きさで製造することができる。
【０１２０】
(第４の実施の形態)
次に、図４に、この発明の第４実施形態である血流量増加装置６９を示す。この血流量増加装置６９は、前述の第１実施形態と比較して、溶存炭酸ガス計４４に替えてｐＨ計２５を有する点と、溶存炭酸ガス調節計４５に替えてｐＨ調節計２６を有する点だけが、前述の第１実施形態と異なる。よって、この第４実施形態では、前述の第１実施形態と同じ部分については同じ符号を付けて、詳細説明を省略し、前述の第１実施形態と異なる部分を説明する。
【０１２１】
この第４実施形態では、ｐＨ計２５およびｐＨ調節計２６によって、浴槽水の溶存炭酸ガスを制御する。このｐＨ計２５とｐＨ調節計２６による制御システムは、水処理分野では、至るところで使用されているシステムである。よって、システムの信頼性は高い。すなわち、この第４実施形態では、ｐＨ計２５によって、第５槽１０内の浴槽水のｐＨを計測し、この計測したｐＨを表すｐＨ計２５からの信号がｐＨ調節計２６に入力され、このｐＨ調節計２６は上記ｐＨ計２５からの信号に基づいて制御信号を信号線２７Ｃに出力して、ナノバブル発生機４２の運転を制御する。
【０１２２】
この第４実施形態では、第２槽７には、炭酸カルシウム鉱物１６としての牡蠣ガラがネット状容器１５Ａの中に充填されている。そして、浴槽水のｐＨが、溶存炭酸ガス濃度約１０００ｐｐｍでは、ｐＨ約５.０と酸性側に傾いている。これにより、ｐＨ計２５とｐＨ調節計２６による制御システムからの制御信号でもって、ナノバブル発生機４２は浴槽水のｐＨが６.５となるまで循環運転される。すなわち、浴槽水のｐＨが、ｐＨ５.０からｐＨ６.５まで中和されるということは、牡蠣ガラとしての炭酸カルシウム鉱物１６が溶解し、主成分のカルシウムやマグネシウムが浴槽水に溶け出して来て、その結果中和される現象である。このように、カルシウム等が浴槽水中に溶け出すことによって、浴槽水のｐＨは上昇してくる。そして、カルシウムやマグネシウムが浴槽水に溶け出してくることによって、無機イオンが増加するので、ナノバブル発生機４２では、ナノバブルをより効率的に発生することができる。
【０１２３】
例えば、海水では、無機イオンが多量に溶解しているので、効率的にマイクロバブルが発生することが、牡蠣やアコャ貝の養殖で実証されているし、事実、浴槽水に無機イオンを添加させると、マイクロナノバブルやナノバブルが効率良く発生した。そして、溶存炭酸ガスが約１００００ｐｐｍ以上であり、ｐＨが６.５で、カルシウムイオン等が溶け出して、ナノバブル発生機４２のナノバブルの発生効率が目標に到達した時点で、ｐＨ計２５とｐＨ調節計２６による制御システムからの制御信号が発せられて、ナノバブル発生機４２は運転を停止することになる。
【０１２４】
(第５の実施の形態)
次に、図５にこの発明の第５実施形態の血流量増加装置７９を示す。この第５実施形態は、前述の第１実施形態と比較して、高濃度人工炭酸泉装置１１を有さない点と、第１槽６に小型のネット状容器４０が設置され、このネット状容器４０内に炭酸ガス発泡固形剤４１が設置できる構造となっている点とが、第１実施形態と異なる。よって、この第５実施形態では、前述の第１実施形態と同じ部分については同じ符号を付けて詳細説明を省略し、前述の第１実施形態と異なる部分を説明する。
【０１２５】
この第５実施形態では、炭酸ガスの供給構造として、第１槽６に小型のネット状容器４０が設置され、このネット状容器４０に炭酸ガス発泡固形剤４１を設置できる構造を有している。したがって、この第５実施形態では、炭酸ガスの供給構造がシンプルな装置であり、また、炭酸ガス発泡固形剤４１は、今日では多く商品化され、コスト的にも一般的に安価であることから、実現化がより容易な実施形態である。
【０１２６】
なお、上記炭酸ガス発泡固形剤４１としては、代表的商品の一例として花王株式会社の「バブ」があるが、他のメーカーからも各種種類が販売されている。どちらにしても、汎用品としての炭酸ガス発泡固形剤４１を第１槽６の小型ネット状容器４０に充填して、利用すれば良い。ところで、炭酸ガス発泡固形剤４１としては、花王株式会社の「バブ」(登録商標)がよく知られているが、これは炭酸ガスマイクロバブルを発生するので、その発生した炭酸ガスマイクロバブルを本血流量増加装置で利用することは容易である。
【０１２７】
また、この第５実施形態では、小型ネット状容器４０を設置する位置を、第１槽６の上部としたが、容器４０を設置する位置はこれに限定されるものではない。もっとも、容器４０を設置する位置は、炭酸バブルが発生した時に、直ちに、ナノバブル発生機４２のパイプ穴５から気液混合循環ポンプ３３のマイクロバブル発生部３４に炭酸バブルを取り込んで、マイクロバブルを製造可能とするような設置位置が望ましい。
【０１２８】
すなわち、炭酸ガス発泡固形剤４１で発生した炭酸ガス含有水(実際発生している炭酸ガスは、サイズが小さく炭酸ガスマイクロバブルと言われている。)を可能な限り、炭酸ガスが発散しないうちに、ナノバブル発生機４２のパイプ穴５から気液混合循環ポンプ３３のマイクロバブル発生部３４に取り込まれるように、配慮することが望ましい。例えば、効率の良い設置位置を実験によって、最終的に決定すれば良い。こうして、ナノバブル発生機４２は、ナノバブル吐出口２９から炭酸ガスナノバブルを吐出することになる。
【０１２９】
(第６の実施の形態)
次に、図６に、この発明の第６実施形態の血流量増加装置８９を示す。この第６実施形態は、前述の第５実施形態と比較して、溶存炭酸ガス計４４に替えてｐＨ計２５を有する点と、溶存炭酸ガス調節計４５に替えてｐＨ調節計２６を有する点とが、前述の第５実施形態と異なっている。よって、この第６実施形態では、前述の第５実施形態と同じ部分については同じ符号を付けて詳細説明を省略し、前述の第５実施形態と異なる部分を説明する。
【０１３０】
この第６実施形態では、ｐＨ計２５およびｐＨ調節計２６によって、浴槽水の溶存炭酸ガスを制御する。このｐＨ計２５とｐＨ調節計２６による制御システムは、水処理分野では至るところで使用されているシステムである。よって、システムの信頼性は高い。すなわち、この第６実施形態では、ｐＨ計２５によって、第５槽１０内の浴槽水のｐＨを計測し、この計測したｐＨを表すｐＨ計２５からの信号がｐＨ調節計２６に入力され、このｐＨ調節計２６は上記ｐＨ計２５からの信号に基づいて制御信号を信号線２７Ｃに出力して、ナノバブル発生機４２の運転を制御する。
【０１３１】
この第６実施形態では、第２槽７には、炭酸カルシウム鉱物１６としての牡蠣ガラがネット状容器１５Ａの中に充填されている。そして、浴槽水のｐＨが、溶存炭酸ガス濃度約１０００ｐｐｍでは、ｐＨ約５.０と酸性側に傾いている。これにより、ｐＨ計２５とｐＨ調節計２６による制御システムからの制御信号でもって、ナノバブル発生機４２は浴槽水のｐＨが６.５となるまで循環運転される。すなわち、浴槽水のｐＨが、ｐＨ５.０からｐＨ６.５まで中和されるということは、牡蠣ガラとしての炭酸カルシウム鉱物１６が溶解し、主成分のカルシウムやマグネシウムが浴槽水に溶け出してきて、その結果、中和される現象である。このように、カルシウム等が浴槽水中に溶け出すことによって、浴槽水のｐＨは上昇してくる。そして、カルシウムやマグネシウムが浴槽水に溶け出してくることによって、無機イオンが増加するので、ナノバブル発生機４２では、ナノバブルをより効率的に発生することができる。
【０１３２】
例えば、海水では、無機イオンが多量に溶解しているので、効率的にマイクロバブルが発生することが、牡蠣やアコャ貝の養殖で実証されているし、事実、浴槽水に無機イオンを添加させると、マイクロナノバブルやナノバブルが効率良く発生した。そして、溶存炭酸ガスが約１００００ｐｐｍ以上であり、ｐＨが６.５で、カルシウムイオン等が溶け出して、ナノバブル発生機４２のナノバブルの発生効率が目標に到達した時点で、ｐＨ計２５とｐＨ調節計２６による制御システムからの制御信号が発せられて、ナノバブル発生機４２は運転を停止することになる。
【０１３３】
(実験例)
図１に示した血流量増加装置３９に基づいて、浴槽１の容量が２ｍ３、第１槽６、第２槽７、第３槽８、第４槽９、および第５槽１０の合計容量が０.２ｍ３であり、気液混合循環ポンプ３３の電動機３.７ｋｗの仕様で、血液量増加装置３９を製作した。そして、糖尿病を１０年以上患っており、かつ薬物療法、食事療法、運動療法をきっちり実施している患者に、血液量増加装置によって、対応治療する前と対応治療した後の血糖値(空腹時および食後)を比較した。この比較の結果、日によって異なるものの、平均して、対応治療後の血糖値は対応治療前の血糖値の３０％から６０％に低下していた。
【０１３４】
尚、上記第１〜第６実施形態のいずれかの血流量増加装置を備えた糖尿病治療装置によれば、上記血流量増加装置を活用して浴槽部で入浴した人体に対し、浴槽水に含まれる炭酸ガスマイクロナノバブルまたは炭酸ガスナノバブルの少なくとも一方でもって血流量を増加できる。この血流量の増加でもって、糖尿病の症状を大きく改善させることができる。また、上記血流量増加装置を備えた美容装置,育毛促進装置によれば、それぞれ、血流量増加効果でもって、美容促進,育毛促進が可能となる。また、上記血流量増加装置を備えた中枢神経疾患治療装置,心血管系疾患治療装置,代謝異常疾患治療装置,消化器疾患治療装置,運動器疾患治療装置,皮膚科領域疾患治療装置,血液及び免疫疾患治療装置によれば、それぞれ、血流量増加効果でもって、各疾患の症状を改善できる。また、上記血流量増加装置の浴槽への入浴による人体の血流量増加でもって、各種薬物の服用による薬物が血管を通じて吸収され血液と共に全身を巡って薬理効果を一層発揮することが可能になる。
【図面の簡単な説明】
【０１３５】
【図１】この発明の血流量増加装置の第１実施形態を模式的に示す図である。
【図２】この発明の血流量増加装置の第２実施形態を模式的に示す図である。
【図３】この発明の血流量増加装置の第３実施形態を模式的に示す図である。
【図４】この発明の血流量増加装置の第４実施形態を模式的に示す図である。
【図５】この発明の血流量増加装置の第５実施形態を模式的に示す図である。
【図６】この発明の血流量増加装置の第６実施形態を模式的に示す図である。
【符号の説明】
【０１３６】
１  浴槽
２  浴槽移送循環ポンプ
３  サクションパイプ
４  人工炭酸泉改良ユニット
５  パイプ穴
６  第１槽
７  第２槽
８  第３槽
９  第４槽
１０  第５槽
１１  高濃度人工炭酸泉装置
１２  給湯器
１３  バルブ
１４  バルブ
１５Ａ〜１５Ｃ  ネット状容器
１６  炭酸カルシウム鉱物
１７  バルブ
１８  液体気体混合吐出配管
１９  吐出口
２０  バルブ
２１  吐出口
２２  生薬
２３  保湿剤
２４Ａ〜２４Ｃ  仕切板
２５  ｐＨ計
２６  ｐＨ調節計
２７Ａ,２７Ｃ  信号線
２８  液体気体混合配管
２９  ナノバブル吐出口
３０  液体気体混合配管
３１  バルブ
３２  バルブ
３３  気液混合循環ポンプ
３４  マイクロバブル発生部
３５  気体せん断部
３６  ニードルバルブ
３７  配管
３８  リターン配管
３９〜８９  血流量増加装置
４０  小型ネット状容器
４１  炭酸ガス発泡固形剤
４２  ナノバブル発生機
４４  溶存炭酸ガス計
４５  溶存炭酸ガス調節計
４７  液化炭酸ガスボンベ
【図１】
2008212276.tif 000003
【図２】
2008212276.tif 000004
【図３】
2008212276.tif 000005
【図４】
2008212276.tif 000006
【図５】
2008212276.tif 000007
【図６】
2008212276.tif 000008